(57)【要約】      （修正有）【課題】把持状態を変えても良好に操作可能な演出出力玩具を提供する。【解決手段】演出出力玩具１は、把持部１０と、把持部１０に設けられた第１操作部１２及び第２操作部１３と、を備え、第１操作部１２及び第２操作部１３の各操作部に対する操作に応じて演出を出力する。把持部１０は、操作者の把持手の当該把持部に対する姿勢が互いに異なる第１把持状態及び第２把持状態の各状態に把持可能であり、第１把持状態において把持手の操作指によって支持される第１支持部１４と、第２把持状態において操作指によって支持される第２支持部１５とを有しており、第１操作部１２は、第１把持状態において第１支持部１４を支持する操作指と対向する位置に設けられており、第２操作部１３は、第２把持状態において第２支持部１５を支持する操作指と対向する位置に設けられている。【選択図】図１
2018086122.tif 000002
【特許請求の範囲】
【請求項１】
把持部と、前記把持部に設けられた第１操作部及び第２操作部と、を備え、前記第１操作部及び前記第２操作部のいずれかに対する操作に応じて演出を出力する演出出力玩具であって、
前記把持部は、操作者の把持手の当該把持部に対する姿勢が互いに異なる第１把持状態及び第２把持状態の各状態で把持可能であり、前記第１把持状態において前記把持手の操作指によって支持される第１支持部と、前記第２把持状態において前記操作指によって支持される第２支持部とを有しており、
前記第１操作部は、前記第１把持状態において前記第１支持部を支持する前記操作指と対向する位置に設けられており、
前記第２操作部は、前記第２把持状態において前記第２支持部を支持する前記操作指と対向する位置に設けられている演出出力玩具。
【請求項２】
請求項１記載の演出出力玩具であって、
前記第１操作部は、前記第１把持状態において、前記第１支持部を側面にて支持する前記操作指の腹と対向する位置に設けられており、
前記第２操作部は、前記第２把持状態において、前記第２支持部を側面にて支持する前記操作指の腹と対向する位置に設けられている演出出力玩具。
【請求項３】
請求項１又は２記載の演出出力玩具であって、
前記把持部は、柄を有し、
前記第１把持状態及び前記第２把持状態は、いずれも前記柄が把持された状態であって、且つ前記柄の上下が互いに反転された状態であり、
前記第１支持部は、前記柄の上端から前記柄の長手方向と交差する方向に突出して設けられ、前記第１操作部は、前記柄の上端部に設けられており、
前記第２支持部は、前記柄の下端から前記柄の長手方向と交差する方向に突出して設けられ、前記第２操作部は、前記柄の下端部に設けられている演出出力玩具。
【請求項４】
請求項１から３のいずれか一項記載の演出出力玩具であって、
前記操作指は、前記把持手の第１指、第２指、又は第３指である演出出力玩具。
【請求項５】
請求項１から４のいずれか一項記載の演出出力玩具であって、
前記第１操作部に対する操作に応じて出力される演出と、前記第２操作部に対する操作に応じて出力される演出とが同じである演出出力玩具。
【請求項６】
請求項１から５のいずれか一項記載の演出出力玩具であって、
前記第１操作部及び前記第２操作部の各操作部に対する操作を検出するための一つのスイッチと、
前記第１操作部及び前記第２操作部と前記スイッチとの間に介在し、前記第１操作部及び前記第２操作部の各操作部に対する操作を前記スイッチに伝達する伝達部材と、
をさらに備える演出出力玩具。
【請求項７】
請求項１から６のいずれか一項記載の演出出力玩具であって、
副玩具が着脱可能な副玩具取付部と、
前記副玩具取付部に取り付けられた前記副玩具を検出する検出部と、
をさらに備え、
前記検出部によって前記副玩具が検出されている場合に前記第１操作部及び前記第２操作部の各操作部に対する操作に応じて出力される演出と、前記検出部によって前記副玩具が検出されていない場合に前記第１操作部及び前記第２操作部の各操作部に対する操作に応じて出力される演出とが互いに異なる演出出力玩具。
【発明の詳細な説明】
【技術分野】
【０００１】
本発明は、演出出力玩具に関する。
【背景技術】
【０００２】
特許文献１に記載された演出出力玩具は、二つの把持部を備え、一方の把持部が把持された場合には剣として、他方の把持部が把持された場合には斧として、把持部に応じて使用態様が変わるように構成されている。そして、各把持部にはトリガーボタンが設けられており、トリガーボタンに対する操作に応じて、光及び音声を用いた演出が出力される。
【先行技術文献】
【特許文献】
【０００３】
【特許文献１】特開２０１４−１４７５９８号公報
【発明の概要】
【発明が解決しようとする課題】
【０００４】
特許文献１に記載された演出出力玩具では、使用態様を変えるにあたって二つの把持部が設けられており、いずれの使用態様においても操作性を損なうことなく演出出力を可能とするため、把持部毎にトリガーボタンが設けられている。二つのトリガーボタンを二つの把持部に配置するため、スイッチが二つ必要になり、また、二つの把持部はいずれも把持可能な寸法とする等の条件の中で設計する必要があった。
【０００５】
本発明は、把持状態を変えても良好に操作可能な演出出力玩具を提供することを目的とする。
【課題を解決するための手段】
【０００６】
本発明に係る演出出力玩具は、把持部と、前記把持部に設けられた第１操作部及び第２操作部と、を備え、前記第１操作部及び前記第２操作部のいずれかに対する操作に応じて演出を出力する演出出力玩具であって、前記把持部は、操作者の把持手の当該把持部に対する姿勢が互いに異なる第１把持状態及び第２把持状態の各状態で把持可能であり、前記第１把持状態において前記把持手の操作指によって支持される第１支持部と、前記第２把持状態において前記操作指によって支持される第２支持部とを有しており、前記第１操作部は、前記第１把持状態において前記第１支持部を支持する前記操作指と対向する位置に設けられており、前記第２操作部は、前記第２把持状態において前記第２支持部を支持する前記操作指と対向する位置に設けられていることを特徴とする。
【０００７】
また、本発明に係る演出出力玩具においては、前記第１操作部は、前記第１把持状態において、前記第１支持部を側面にて支持する前記操作指の腹と対向する位置に設けられており、前記第２操作部は、前記第２把持状態において、前記第２支持部を側面にて支持する前記操作指の腹と対向する位置に設けられていてもよい。
【０００８】
また、本発明に係る演出出力玩具においては、前記把持部は、柄を有し、前記第１把持状態及び前記第２把持状態は、いずれも前記柄が把持された状態であって、且つ前記柄の上下が互いに反転された状態であり、前記第１支持部は、前記柄の上端から前記柄の長手方向と交差する方向に突出して設けられ、前記第１操作部は、前記柄の上端部に設けられており、前記第２支持部は、前記柄の下端から前記柄の長手方向と交差する方向に突出して設けられ、前記第２操作部は、前記柄の下端部に設けられていてもよい。
【０００９】
また、本発明に係る演出出力玩具においては、前記操作指は、前記把持手の第１指、第２指、又は第３指であってもよい。
【００１０】
また、本発明に係る演出出力玩具においては、前記第１操作部に対する操作に応じて出力される演出と、前記第２操作部に対する操作に応じて出力される演出とが同じであってもよい。
【００１１】
また、本発明に係る演出出力玩具においては、前記第１操作部及び前記第２操作部の各操作部に対する操作を検出するための一つのスイッチと、前記第１操作部及び前記第２操作部と前記スイッチとの間に介在し、前記第１操作部及び前記第２操作部の各操作部に対する操作を前記スイッチに伝達する伝達部材と、をさらに備えてもよい。
【００１２】
また、本発明に係る演出出力玩具においては、副玩具が着脱可能な副玩具取付部と、前記副玩具取付部に取り付けられた前記副玩具を検出する検出部と、をさらに備え、前記検出部によって前記副玩具が検出されている場合に前記第１操作部及び前記第２操作部の各操作部に対する操作に応じて出力される演出と、前記検出部によって前記副玩具が検出されていない場合に前記第１操作部及び前記第２操作部の各操作部に対する操作に応じて出力される演出とが互いに異なってもよい。
【発明の効果】
【００１３】
本発明によれば、把持状態を変えても良好に操作可能な演出出力玩具を提供することができる。
【図面の簡単な説明】
【００１４】
【図１】本発明の実施形態を説明するための、演出出力玩具の一例の側面図である。
【図２】図１の演出出力玩具の使用例を示す模式図である。
【図３】図１の演出出力玩具の使用例を示す模式図である。
【図４】図１の演出出力玩具の機能ブロック図である。
【図５】図１の演出出力玩具の内部機構を示す側面図である。
【図６】図１の演出出力玩具の使用例を示す模式図である。
【図７】図１の演出出力玩具の使用例を示す模式図である。
【図８】図１の演出出力玩具の使用例を示す模式図である。
【図９】本発明の実施形態を説明するための、演出出力玩具の他の例の側面図である。
【図１０】図９の演出出力玩具の機能ブロック図である。
【図１１】図９の演出出力玩具の変形例の要部の斜視図である。
【図１２】図９の演出出力玩具の変形例の要部の斜視図である。
【図１３】図９の演出出力玩具の変形例の機能ブロック図である。
【発明を実施するための形態】
【００１５】
図１は、本発明の実施形態を説明するための、演出出力玩具の一例を示す。また、図２は、図１の演出出力玩具の第１の使用例を示し、図３は、図１の演出出力玩具の第２の使用例を示す。
【００１６】
演出出力玩具１は、操作者の把持手の指が挿入される環状の把持部１０と、把持部１０の一部を構成し、把持手の指が当接する柄１１と、柄１１の長手方向の一端（図１では上端）に設けられた第１操作部１２と、柄１１の長手方向の他端（図１では下端）に設けられた第２操作部１３と、を備え、第１操作部１２及び第２操作部１３の各操作部に対する操作に応じて演出を出力するように構成されている。第１操作部１２に対する操作に応じて出力される演出と、第２操作部１３に対する操作に応じて出力される演出とは、互いに異なっていてもよいし、同じであってもよい。
【００１７】
把持部１０は、当該把持部１０に対する操作者の把持手の姿勢が互いに異なる第１把持状態（図２に示す把持状態）及び第２把持状態（図３に示す把持状態）の各状態で把持可能とされている。第１把持状態及び第２把持状態は、いずれも操作者の指で柄１１が把持された状態であり、且つ柄１１の上下が互いに反転された状態である。
【００１８】
把持部１０は、上記の第１把持状態において把持手の操作指によって支持される第１支持部１４と、上記の第２把持状態において操作指によって支持される第２支持部１５とを有している。第１支持部１４は、柄１１の一端（図１では上端）から柄１１の長手方向と交差する方向に突出して設けられており、第２支持部１５は、柄１１の他端（図１では下端）から柄１１の長手方向と交差する方向に突出して設けられている。
【００１９】
図２のように、第１操作部１２は、第１把持状態において第１支持部１４を支持する操作指と対向する位置に設けられており、第１把持状態において、第１支持部１４を側面にて支持する操作指の腹（指紋のある側）と対向する位置に設けられている。つまり、第１把持状態では演出出力玩具１を第１支持部１４で操作指により下から支える状態となり、この状態において第１操作部１２と操作指の腹とが対向する。このことにより、操作指以外の指で柄１１を把持し、操作指によって第１支持部１４を下から支えながら、操作指で第１操作部１２を良好に押下することができる。一方、図３のように、第２操作部１３は、第２把持状態において第２支持部１５を支持する操作指と対向する位置に設けられており、第２把持状態において、第２支持部１５を側面にて支持する操作指の腹と対向する位置に設けられている。つまり、第２把持状態では演出出力玩具１を第２支持部１５で操作指により下から支える状態となり、この状態において第２操作部１３と操作指の腹とが対向する。このことにより、操作指以外の指で柄１１を把持し、操作指によって第２支持部１５を下から支えながら、操作指で第２操作部１３を良好に押下することができる。操作指は、指の器用さ及び力を考慮して、把持手の第１指（親指）、第２指（人差し指）、又は第３指（中指）であり、特に器用さ及び力のバランスに優れる第２指が特に好ましい。
【００２０】
操作指が第２指であるものとし、第１支持部１４が第２指によって支持された第１把持状態では、把持手の第５指（小指）が第２操作部１３から上側に離間するよう、また、第１支持部１４が第２指によって支持された第２把持状態では、把持手の第５指（小指）が第１操作部１２から上側に離間するよう、第１操作部１２と第２操作部１３とが適宜離間して設けられ、換言すれば柄１１の長さが適宜設定される。第５指（小指）は、指の器用さ及び力が他の指より劣る。また、第１把持状態において第２操作部１３と第５指（小指）は離間しており、また、第２把持状態においても第１操作部１２と第５指（小指）は離間しているため、第５指（小指）によって第１操作部１２、第２操作部１３を操作することはいずれの把持状態においても困難となる。これにより、第１把持状態にて第２操作部１３が操作され、第２把持状態にて第１操作部１２が操作されることが抑制される。これは、第１操作部１２に対する操作に応じて出力される演出と、第２操作部１３に対する操作に応じて出力される演出とが互いに異なる場合に、有用である。
【００２１】
図４は、図１の演出出力玩具１の機能ブロックを示す。
【００２２】
演出出力玩具１の内部には、上記の第１操作部１２及び第２操作部１３を通じてオン／オフされるスイッチ２１と、制御部２２と、記憶部２３と、出力部２４と、これらの各部に電力を供給する電池等からなる電源部２５とが収容されている。なお、本例では、第１操作部１２及び第２操作部１３の各操作部に対する操作が一つのスイッチ２１によって検出されることから、第１操作部１２に対する操作に応じて出力部２４から出力される演出と、第２操作部１３に対する操作に応じて出力部２４から出力される演出は同じである。
【００２３】
記憶部２３は、出力部２４から出力される演出データが書き込まれたＲＯＭ等からなる。制御部２２は、操作者が第１操作部１２又は第２操作部１３を指で押圧操作することによってスイッチ２１をオンにすると、記憶部２３に書き込まれた演出データを読み出して出力部２４を動作させる。出力部２４は、例えば記憶部２３に書き込まれた音声データを出力するスピーカと、記憶部２３に書き込まれた動作モードに従って光を発するＬＥＤ（Light Emitting Diode）等の発光体とを含んで構成される。
【００２４】
図５は、図１の演出出力玩具１の内部機構の一部を示す。
【００２５】
図５のように、把持部１０の内部には、第１操作部１２及び第２操作部１３の各操作部に対する操作を検出するための一つのスイッチ２１と、第１操作部１２及び第２操作部１３とスイッチ２１との間に介在し、第１操作部１２及び第２操作部１３の各操作部に対する操作をスイッチ２１に伝達する伝達部材２６とが収容されている。
【００２６】
伝達部材２６は、柄１１の一端に設けられている第１操作部１２と、柄１１の他端に設けられている第２操作部１３とに架け渡された状態に柄１１の内部に配置されている。また、スイッチ２１は、第１操作部１２と係合している伝達部材２６の一端と、第２操作部１３と係合している伝達部材２６の他端との間の中央部と係合した状態に柄１１の内部に配置されている。
【００２７】
第１操作部１２が操作されることにより、伝達部材２６は第２操作部１３と係合している一端を支点に揺動され、伝達部材２６の揺動に応じてスイッチ２１が押され、スイッチ２１がオンになる。また、第２操作部１３が操作されることにより、伝達部材２６は第１操作部１２と係合している一端を支点に揺動され、伝達部材２６の揺動に応じてスイッチ２１が押され、スイッチ２１がオンになる。
【００２８】
このように、第１操作部１２及び第２操作部１３の各操作部に対する操作を一つのスイッチ２１で検出できるようにしたことにより、操作部毎に個別のスイッチを設ける場合に比べて部品点数が少なくなり、製造コストを低減することができる。
【００２９】
以上の演出出力玩具１によれば、図２の第１把持状態では柄１１の一端に設けられた第１操作部１２によって操作可能であり、図３の第２把持状態では柄１１の他端に設けられた第２操作部１３によって操作可能であり、把持状態を変えても良好に操作ができる。そして、第１操作部１２及び第２操作部１３がいずれも柄１１に設けられていることにより、各操作部に対する操作を検出するスイッチ等の電子部品を柄１１に集約することができ、玩具の製造コストを低減することができる。
【００３０】
演出出力玩具１は、図６に示すような装飾玩具３１，３２を着脱可能とする第１装飾玩具取付部１６及び第２装飾玩具取付部１７をさらに備える。図示の例では、装飾玩具３１は剣を模した玩具であり、装飾玩具３２は斧を模した玩具である。
【００３１】
図７は、第１装飾玩具取付部１６に装飾玩具３１を取り付けた状態を示し、（Ａ）は第１把持状態にて把持した使用例を、（Ｂ）は第２把持状態にて把持した使用例を示す。また、図８の（Ａ）は、第１装飾玩具取付部１６に装飾玩具３２を取り付けて第１把持状態に把持した使用例を示し、（Ｂ）は、第２装飾玩具取付部１７に装飾玩具３２を取り付けて第１把持状態に把持した使用例を示す。
【００３２】
ここでは、第１装飾玩具取付部１６及び第２装飾玩具取付部１７に２種類の装飾玩具３１，３２を取り付ける例を示したが、第１装飾玩具取付部１６及び第２装飾玩具取付部１７に取り付ける装飾玩具は、３種類以上とすることもできる。
【００３３】
このように、演出出力玩具１に装飾玩具３１，３２を着脱可能に取り付けることにより、演出出力玩具１の使用態様を多彩なものとすることができる。
【００３４】
演出出力玩具１は、図９に示すような副玩具２を着脱可能とする副玩具取付部１８をさらに備えていてもよく、この場合に、図１０に示すように、副玩具２の取り付け検知する検出部２７が、副玩具取付部１８にさらに設けられる。検出部２７としては、副玩具取付部１８に取り付けられた副玩具２によって押されるスイッチ等によって構成することができる。
【００３５】
そして、操作者が副玩具取付部１８に副玩具２を取り付けた状態で第１操作部１２又は第２操作部１３を操作すると、検出部２７が副玩具２の取り付けを検知して制御部２２に信号を送り、制御部２２は、記憶部２３に書き込まれた演出データのうち副玩具２が取り付けられたときに特有の演出データを読み出して出力部２４を動作させる。
【００３６】
このように、演出出力玩具１に副玩具２を着脱可能に取り付けることにより、検出部２７によって副玩具２が検出されている場合に第１操作部１２及び第２操作部１３の各操作部に対する操作に応じて出力される演出と、検出部２７によって副玩具２が検出されていない場合に第１操作部１２及び第２操作部１３の各操作部に対する操作に応じて出力される演出とを互いに異ならせることができるので、演出出力玩具１の演出をより多彩なものとすることができる。
【００３７】
なお、演出出力玩具１の副玩具取付部１８には、互いに異なる演出に対応した複数種類の副玩具２を取り付けることも可能である。
【００３８】
互いに異なる演出に対応した複数種類の副玩具２としては、例えば図１１のように、副玩具取付部１８と対向する面の互いに異なる位置に一つの識別突起１９を備えた複数種類の副玩具２を用意する。一方、図１２のように、演出出力玩具１の副玩具取付部１８には、副玩具２を取り付けたときに識別突起１９によって押される複数個の識別スイッチ２０を設ける。
【００３９】
図示の例では、副玩具取付部１８と対向する面の６箇所のいずれかに識別突起１９を備えた６種類の副玩具２と、６個の識別突起１９の位置に対応する６個の識別スイッチ２０を備えた演出出力玩具１が示されている。
【００４０】
この場合は、操作者が副玩具取付部１８に所望の副玩具２を取り付けた状態で第１操作部１２又は第２操作部１３を操作すると、図１３のように、検出部２７は、副玩具２の識別突起１９の位置に対応した識別スイッチ２０が押されたことを検知してその信号を制御部２２に送る。そして、制御部２２は、記憶部２３に書き込まれた演出データのうち識別突起１９の位置に対応した特有の演出データを読み出して出力部２４を動作させる。
【００４１】
このように、複数種類の演出に対応した複数種類の副玩具２を演出出力玩具１に着脱可能に取り付けることにより、演出出力玩具１の演出をさらに多彩なものとすることができる。
【００４２】
なお、図６に示した装飾玩具についても、副玩具２と同様、装飾玩具の取り付けを検知し、制御部２２が記憶部２３に書き込まれた演出データのうち装飾玩具を取り付けたときに特有の演出データを読み出して出力部２４を動作させるようにしてもよい。さらに、装飾玩具の種類を識別して、装飾玩具の種類の応じて異なる演出を出力させるようにしてもよい。
【符号の説明】
【００４３】
１    演出出力玩具
２    副玩具
１０  把持部
１１  柄
１２  第１操作部
１３  第２操作部
１４  第１支持部
１５  第２支持部
１６  第１装飾玩具取付部
１７  第２装飾玩具取付部
１８  副玩具取付部
１９  識別突起
２０  識別スイッチ
２１  スイッチ
２２  制御部
２３  記憶部
２４  出力部
２５  電源部
２６  伝達部材
２７  検出部
３１  装飾玩具
３２  装飾玩具
【図１】
2018086122.tif 000003
【図２】
2018086122.tif 000004
【図３】
2018086122.tif 000005
【図４】
2018086122.tif 000006
【図５】
2018086122.tif 000007
【図６】
2018086122.tif 000008
【図７】
2018086122.tif 000009
【図８】
2018086122.tif 000010
【図９】
2018086122.tif 000011
【図１０】
2018086122.tif 000012
【図１１】
2018086122.tif 000013
【図１２】
2018086122.tif 000014
【図１３】
2018086122.tif 000015